(57)【特許請求の範囲】
【請求項１】
２次元映像コンテンツを含む主情報を受信する主情報受信部と、
上記２次元映像コンテンツを立体映像化するための補完情報を上記主情報受信部が上記主情報を受信する動作に連動して受信する補完情報受信部と、
上記主情報受信部が受信した主情報、および、上記補完情報受信部が受信した補完情報を用いて上記主情報と上記補完情報とを立体映像情報として統合する統合部と、を備える情報統合装置であって、
上記主情報および上記補完情報の少なくとも一方は、上記主情報に含まれる２次元映像コンテンツを構成する複数の主フレームと、上記補完情報に含まれ、上記複数の主フレームのそれぞれに対応する複数の補完フレームと、の同期をとり、かつ、上記主フレームまたは上記補完フレームを、左目用映像の一コマまたは右目用映像の一コマのいずれかとして３Ｄメガネに区別させるための同期情報であってデータ放送に付随する同期情報を含み、
上記統合部は、
上記同期情報を用いて、
上記主情報に含まれる複数の主フレーム、および、上記補完情報に含まれる複数の補完フレームのそれぞれの総フレーム数を確認し、
上記主情報受信部および上記補完情報受信部のそれぞれが、上記主情報に含まれる複数の主フレームのそれぞれ、および、上記補完情報に含まれる複数の補完フレームのそれぞれを受信する順序で、上記複数の主フレームおよび上記複数の補完フレームのそれぞれを総フレーム数の分だけ所定の記憶部に格納し、
上記複数の主フレーム、および、上記複数の補完フレームのそれぞれの先頭フレームまたは最終フレームの記録位置を特定することで、
上記主フレームと、該主フレームに対応する上記補完フレームと、を１フレーム毎に交互に配列するための配列順序を決定し、
上記複数の主フレームと、上記複数の補完フレームと、を１フレーム毎に交互に配列するための時間調整を行うことで、
上記主フレームと、該主フレームに対応する上記補完フレームとの同期をとり、かつ、上記主フレームまたは上記補完フレームを、左目用映像の一コマまたは右目用映像の一コマのいずれかとして３Ｄメガネに区別させるようにして上記立体映像情報として統合することを特徴とする情報統合装置。
【請求項２】
請求項１に記載の情報統合装置によって統合された立体映像情報を表示する処理を行う表示制御部を備えることを特徴とする情報表示装置。
【請求項３】
請求項１に記載の情報統合装置によって統合された立体映像情報を所定の記録部に記憶する処理を行う記録制御部を備えることを特徴とする情報記録装置。
【発明の詳細な説明】
【技術分野】
【０００１】
本発明は、２次元（Ｄ）映像コンテンツを３Ｄ化した立体映像（３Ｄ映像）の視聴を可能にする情報統合装置などに関する。
【背景技術】
【０００２】
近年、立体映像を視聴するための立体映像表示装置（３Ｄディスプレイ）の開発に伴って、３Ｄ映像の伝送方式についても種々開発されている。
【０００３】
例えば、特許文献１には、主映像情報を従来通りに伝送し、３Ｄ映像の表示に必要な補完情報を最小限になるように圧縮した上で、周波数帯域の隙間を用いて送信することにより、２Ｄ放送の伝送方式を利用して３Ｄ映像の伝送を可能にした伝送方式が開示されている。
【０００４】
また、特許文献２には、現状の放送方式において、奥行き情報をＲＧＢ情報にプラスすることで、ＤＦＤ方式（Depth-Fused 3-D：メガネを使わない３Ｄ表示方式）等に対応した３Ｄ放送を実現する３Ｄ映像の伝送方式が開示されている。
【先行技術文献】
【特許文献】
【０００５】
【特許文献１】特開昭６３−２５６０９１号公報（１９８８年１０月２４日公開）
【特許文献２】特開２００４−２７４６４２号公報（２００４年９月３０日公開）
【発明の概要】
【発明が解決しようとする課題】
【０００６】
ところで、現行の放送形式では、ＴＶ放送の方式が２Ｄ映像用に合わせて規格されたものであるため、現状の２Ｄ映像の画質を保持した状態で３Ｄ映像の放送を行うことは困難である。
【０００７】
例えば、２Ｄ映像を、画質を維持したまま３Ｄ映像とする場合、＋約３０％の情報量が必要になる。ところが、現在の放送形式（地上デジタル放送の放送形式）の転送レートは、最大１７Ｍｂｐｓであり、おおよそ本放送の転送レートが１５Ｍｂｐｓで、データ放送が２Ｍｂｐｓで放送されているので、最大転送レートを増加させない限り、現在の２Ｄ映像の放送レベル（画質）の３Ｄ映像は放送できないことになる。
【０００８】
従って、現行の放送形式を利用して３Ｄ映像を伝送している特許文献１および２などに記載の技術では、現行の２Ｄ映像の放送レベルでの３Ｄ映像の放送を実現できないという問題が生じる。
【０００９】
本発明は、上記の問題点に鑑みなされたものであって、その目的は、現行の放送形式を変更することなく、または、画質を落とすことなく３Ｄ映像の視聴を可能にする情報統合装置などを提供することにある。
【課題を解決するための手段】
【００１０】
本発明の情報統合装置は、上記課題を解決するために、２次元映像コンテンツを含む主情報を受信する主情報受信部と、上記２次元映像コンテンツを立体映像化するための補完情報を受信する補完情報受信部と、上記主情報受信部が受信した主情報、および、上記補完情報受信部が受信した補完情報を用いて上記主情報と上記補完情報とを立体映像情報として統合する統合部と、を備えることを特徴とする。
【００１１】
本発明の情報統合方法は、上記課題を解決するために、２次元映像コンテンツを含む主情報と、上記２次元映像コンテンツを立体映像化するための補完情報とを立体映像情報として統合する情報統合装置により実行される情報統合方法であって、上記主情報を受信する主情報受信ステップと、上記補完情報を受信する補完情報受信ステップと、上記主情報受信ステップで受信した主情報、および上記補完情報受信ステップで受信した補完情報を用いて上記主情報と上記補完情報とを立体映像情報として統合する統合ステップとを実行することを特徴とする。
【００１２】
ここで、主情報と補完情報のうち、少なくとも２次元映像コンテンツ（以下、２Ｄ映像コンテンツという）を含む主情報は、現行の２Ｄ映像コンテンツを伝送する放送形式（以下、２Ｄ放送形式と称する）を用いて伝送することが可能である。
【００１３】
従って、上記構成または方法によれば、立体映像情報は、主情報受信部（主情報受信ステップ）で受信された主情報と、補完情報受信部（補完情報受信ステップ）で受信された補完情報とを統合して得られるので、情報統合装置まで伝送するのは、主情報と補完情報とでよく、立体映像情報そのものを直接伝送する必要は無い。
【００１４】
これにより、現行の２Ｄ放送形式による伝送方式がそのまま使用できる。
【００１５】
しかも、立体映像情報は、２Ｄ映像コンテンツを含む主情報を補完情報によって補完して得られるので、２Ｄ映像コンテンツの画質を維持した状態で立体映像の表示が可能な情報となる。つまり、この立体映像情報を用いれば、２Ｄ放送と同じ画質で３Ｄ映像の視聴が可能となる。
【００１６】
以上のことから、現行の２Ｄ放送の放送形式を変更せずに、または、画質を落とすことなく３Ｄ映像の視聴を行うことが可能となる。
【００１７】
ここで、「２Ｄ映像コンテンツ」の例としては、動画（音楽、音声データ、および字幕などのテキストデータなどを含む）の他、コマ送り再生用の画像などの静止画像なども含まれる。
【００１８】
なお、「補完情報」の例としては、２Ｄ映像コンテンツを擬似的に３次元映像化（３Ｄ化）するための擬似３Ｄ化情報や、２Ｄ映像コンテンツを右目用映像または左目用映像のいずれかとした場合の、左目用映像または右目用映像等が例示できる。
【００１９】
すなわち、３Ｄ化を実現するための「補完情報」は実際の映像データである必要はなく、２Ｄ映像コンテンツ（右目用映像または右目用映像）に対しての差分情報でも良いし、そもそも映像データに関するものでなくてよく、２Ｄ映像の３Ｄ化を実現するための補完情報であれば良い。
【００２０】
また、本発明の情報統合装置は、上記構成に加えて、上記統合部は、上記主情報に含まれる２次元映像コンテンツを構成する複数の主フレームと、上記補完情報に含まれ、上記複数の主フレームのそれぞれに対応する複数の補完フレームと、を１フレーム毎に交互に配列するための時間調整を行うことで、上記主フレームと、該主フレームに対応する上記補完フレームとの同期をとっても良い。
【００２１】
上記構成によれば、上記統合部は、上記主フレームと、該主フレームに対応する上記補完フレームとの同期をとる。より具体的には、２Ｄ映像コンテンツを構成する各主フレームと、各主フレームに対応する補完フレームのそれぞれとを１フレーム毎に交互に配列して同期をとる。
【００２２】
このとき、主情報受信部による主情報（主フレーム）の受信タイミング、補完情報受信部による補完情報（補完フレーム）の受信タイミング、主情報および補完情報の伝送レート、ならびに、主情報および補完情報が圧縮された情報である場合は、それらの伸長時間などを考慮した上で、各主フレームと、各主フレームに対応する各補完フレームとを１フレーム毎に交互に配列するための時間調整を行う必要がある。よって、上記構成によれば、以上の時間調整を行うことで、適切に主フレームと、該主フレームに対応する補完フレームとの同期をとることができる。
【００２３】
また、本発明の情報統合装置は、上記構成に加えて、上記主情報および上記補完情報の少なくとも一方は、上記主フレームと、該主フレームに対応する上記補完フレームとの同期をとるための同期情報を含み、上記統合部は、上記同期情報を用いて、上記主フレームと、該主フレームに対応する上記補完フレームと、を１フレーム毎に交互に配列するための時間調整を行っても良い。
【００２４】
上記構成によれば、同期情報を用いて各フレーム間の微妙な時間間隔を調整するなどのより細かな時間調整が可能となる。
【００２５】
同期情報の例としては、２Ｄ映像コンテンツの伝送を行うとき、送信側から受信側に２Ｄ映像コンテンツの受信タイミングを伝えるために送られる同期信号や、所定の表示画面上に立体映像（主フレームまたは補完フレーム）を映し出す際に、走査線を表示するタイミングを示す信号と、走査線を画面の下端まで表示した後、画面の上に戻って次の画面を表示し始めるタイミングを示す信号などを例示することができる。
【００２６】
また、本発明の情報統合装置は、上記構成に加えて、上記統合部は、上記主フレームおよび該主フレームに対応する上記補完フレームの少なくとも一方を、所定の一時記録部に記録することで、上記主フレームと、該主フレームに対応する上記補完フレームと、を１フレーム毎に交互に配列するための時間調整を行ってもよい。
【００２７】
上記構成によれば、主情報（主フレーム）および該主情報に対応する補完情報（補完フレーム）の少なくとも一方を、所定の一時記録部に一時的に記録することで、上記主フレームと、該主フレームに対応する上記補完フレームと、を統合部に入力するタイミングを調整できるので、上述した同期情報は必要ない。
【００２８】
これにより、同期情報を用いた処理が不要になるので、別途そのような処理部を情報統合装置に設ける必要がなく装置の簡略化を実現できる。また、同期情報の分だけ伝送される情報の伝送量を節約することができる。
【００２９】
また、本発明の表示制御装置は、上記構成に加えて、上記情報統合装置によって統合された立体映像情報を表示する処理を行う表示制御部を備えていても良い。
【００３０】
上記構成によれば、表示制御装置は、上述した情報統合装置を用いて統合された立体映像情報を表示するようになっているので、現行の２Ｄ放送の放送形式を変更せずに、または、画質を落とすことなく３Ｄ映像の視聴を行うことが可能となる。
【００３１】
また、本発明の情報記録装置は、上記構成に加えて、上記情報統合装置によって統合された立体映像情報を所定の記録部に記憶する処理を行う記録制御部を備えていてもよい。
【００３２】
上記構成によれば、情報記録装置は、上述した情報統合装置を用いて生成された立体映像情報を所定の記録部に記録するようになっているので、ユーザの都合に合わせて所望の立体映像の視聴を素早く行うことができる。
【００３３】
なお、前記情報統合装置および情報統合方法における各部における処理、ならびに、各ステップのそれぞれは、コンピュータによって実現してもよく、この場合には、コンピュータに前記各部の処理、または、前記各ステップを実行させることにより前記情報統合装置および情報統合方法を、コンピュータにて実現させる情報統合プログラムおよびそれを記録したコンピュータ読み取り可能な記録媒体も、本発明の範疇に入る。
【発明の効果】
【００３４】
本発明の情報統合装置は、以上のように、２次元映像コンテンツを含む主情報を受信する主情報受信部と、上記２次元映像コンテンツを立体映像化するための補完情報を受信する補完情報受信部と、上記主情報受信部が受信した主情報、および、上記補完情報受信部が受信した補完情報を用いて上記主情報と上記補完情報とを立体映像情報として統合する統合部と、を備える構成である。
【００３５】
また、本発明の情報統合方法は、以上のように、２次元映像コンテンツを含む主情報と、上記２次元映像コンテンツを立体映像化するための補完情報とを立体映像情報として統合する情報統合装置により実行される情報統合方法であって、上記主情報を受信する主情報受信ステップと、上記補完情報を受信する補完情報受信ステップと、上記主情報受信ステップで受信した主情報、および上記補完情報受信ステップで受信した補完情報を用いて上記主情報と上記補完情報とを立体映像情報として統合する統合ステップとを実行する方法である。
【００３６】
それゆえ、現行の２Ｄ放送の放送形式を変更せずに、または、画質を落とすことなく３Ｄ映像の視聴を可能にするという効果を奏する。
【図面の簡単な説明】
【００３７】
【図１】本発明の一実施形態である立体映像統合装置の構成を示すブロック図である。
【図２】上記立体映像統合装置を備えた立体映像表示システムの構成を示すブロック図である。
【図３】上記立体映像表示システムに含まれる３Ｄディスプレイの構成を示すブロック図である。
【図４】上記立体映像表示システムに含まれる３Ｄメガネの構成をブロック図である。
【図５】本発明の他の実施形態である立体映像表示システムの構成を示すブロック図である。
【図６】上記立体映像表示システムに設けられた立体映像統合装置の構成を示すブロック図である。
【図７】本発明のさらに他の実施形態である立体映像表示システムの構成を示すブロック図である。
【図８】本発明のさらに他の実施形態である立体映像表示システムの構成を示すブロック図である。
【発明を実施するための形態】
【００３８】
本発明の一実施形態について図１〜図８に基づいて説明すれば、次の通りである。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００３９】
〔実施の形態１〕
（立体映像表示システム１００１の構成）
まず、図２に基づき、本発明の一実施形態である立体映像表示システム（情報表示装置、情報記録装置）１００１の全体の構成について説明し、その後、図１に基づき、立体映像表示システム１００１に設けられた立体映像統合装置（情報統合装置）１００の構成について説明する。
【００４０】
図２は、立体映像表示システム１００１の構成を示すブロック図である。図２に示すように、立体映像表示システム１００１は、３Ｄメガネ１０、３Ｄディスプレイ（情報表示装置、情報記録装置）２０および立体映像統合装置１００を含む。
【００４１】
立体映像統合装置１００には、少なくとも２Ｄ映像コンテンツ（２次元映像コンテンツ）を含む主情報２を受信するための第１アンテナ３０と、主情報２を立体映像化（３Ｄ化）するための補完情報３を受信するための第２アンテナ４０とが接続されている。
【００４２】
また、主情報２に含まれる２Ｄ映像コンテンツは、複数の左目用映像情報Ｌ（主フレーム）からなり、補完情報３は、複数の右目用映像情報Ｒ（補完フレーム）を含む。
【００４３】
ここで、「２Ｄ映像コンテンツ」の例としては、動画（音楽、音声データ、および字幕などのテキストデータなどを含む）の他、コマ送り再生用の画像などの静止画像なども含まれる。
【００４４】
「２Ｄ映像コンテンツ」のデータ形式としては、映像に関するＦｌａｓｈ（マクロメディアが販売しているＷｅｂ用のアニメーション作成ソフト）、静止画像の圧縮に関するＪＰＥＧ（Joint Photographic Experts Group）方式、動画の圧縮に関するＭＰＥＧ（Moving Picture Experts Group）方式などが例示できる。
【００４５】
なお、ＭＰＥＧ方式は、ＩＴＵ−Ｔ（国際電気通信連合電気通信標準化部門）とＩＳＯ（国際標準規格）によって標準技術として勧告された、動画や音声を圧縮・伸張する規格である。現在ＭＰＥＧ方式には、ビデオＣＤなどのメディアに使用されるＭＰＥＧ１、ＤＶＤ（Digital versatile disc）や放送メディアに使用されるＭＰＥＧ２、ネットワーク配信、携帯端末向けのＭＰＥＧ４などがある。
【００４６】
さらに、「２Ｄ映像コンテンツ」の配信方法としては、Ｂｌｕｅｔｏｏｔｈ（登録商標）、Ｆｅｌｉｃａ、ＰＬＣ（power line communication）、ＷｉｒｅｌｅｓｓＬＡＮ（無線ＬＡＮ：ＷＬＡＮ）、ＩｒＤＡ（赤外線無線）、ＩｒＳＳ（赤外線無線）、およびTransferJet、ＷＣＤＭＡ（通信網）などの有線または無線通信による配信などが例示できる。
【００４７】
また、「２Ｄ映像コンテンツ」のうち、「放送コンテンツ」の例としては、ＮＴＳＣ（national television system committee）方式、ＰＡＬ（phase alternation by line）方式、ＳＥＣＡＭ（sequential couleur a memoire system）方式、ＨＤ-ＭＡＣ（high definition-multiple analogue component）方式、ＡＴＶ（advanced television）方式によるＴＶ放送、二音声多重放送、ステレオホニック音声多重放送、放送衛星（broadcasting satellite：ＢＳ）若しくは通信衛星（communication satellite：ＣＳ）からの電波を利用した衛星放送、有線放送ＴＶ（cable television：ＣＡＴＶ）、高画質テレビジョン（extended definition ＴＶ：ＥＤＴＶ）、高精細度テレビジョン（high definition ＴＶ：ＨＤＴＶ）、ＭＵＳＥ方式、ワンセグ、３セグ、および地上デジタル放送などの放送番組などが例示できる。
【００４８】
「補完情報３」のその他の例としては、２Ｄ映像コンテンツを擬似的に３Ｄ化するための擬似３Ｄ化情報や、２Ｄ映像コンテンツを右目用映像情報Ｒまたは左目用映像情報Ｌのいずれかとした場合の、左目用映像情報Ｌまたは右目用映像情報Ｒ等が例示できる。
【００４９】
すなわち、３Ｄ化を実現するための「補完情報３」は実際の映像データである必要はなく、２Ｄ映像コンテンツ（右目用映像情報Ｒまたは右目用映像情報Ｌ）に対しての差分情報でも良いし、そもそも映像データに関するものでなくてよく、２Ｄ映像の３Ｄ化を実現するための補完情報であれば良い。
【００５０】
立体映像表示システム１００１では、立体映像統合装置１００によって、第１アンテナ３０により受信された主情報２と、第２アンテナ４０により受信された補完情報３とを統合して統合情報４（立体映像情報）を生成し、立体映像情報を３Ｄ映像として３Ｄディスプレイ２０に出力する。この統合情報４は、複数の左目用映像情報Ｌと、複数の右目用映像情報Ｒとを１フレーム毎に交互に配列して同期をとったものである。
【００５１】
３Ｄディスプレイ２０では、入力された統合情報４から出力される左目用映像情報Ｌに対応する左目用映像６Ｌ（主フレーム）と、右目用映像情報Ｒに対応する右目用映像６Ｒ（補完フレーム）とを１フレーム毎に交互に表示する。
【００５２】
３Ｄメガネ１０は、アクティブシャッタ方式のメガネである。すなわち、３Ｄメガネ１０は、３Ｄディスプレイ２０において交互に表示されている右目用映像６Ｒと左目用映像６Ｌとに対応するように、右目用シャッタ１１と左目用シャッタ１２とを交互にシャッタが開放するようにして、視聴者の視差を利用して３Ｄ映像を見せている。
【００５３】
ここで、３Ｄディスプレイ２０に、右目用映像６Ｒが表示されているときには、３Ｄメガネ１０の右目用シャッタ１１が開き、左目用シャッタ１２が閉じるように制御され、左目用映像６Ｌが表示されているときには、３Ｄメガネ１０の左目用シャッタ１２が開き、右目用シャッタ１１が閉じる。このときのシャッタ開閉の同期は、３Ｄディスプレイ２０から送信されるシャッタ開閉用の同期信号を、３Ｄメガネ１０に設けられた同期信号受信部１３が受信することで行う。また、シャッタ開閉制御は、後述するシャッタ制御部１４（図４）によって行われる。
【００５４】
以上説明した３Ｄ映像の表示方式は、タイムシーケンシャル方式であるが、３Ｄ映像の表示方式はこれに限られず、その他、偏光方式、レンチキュラー方式、パララックスバリア方式などを例示することができる。
【００５５】
偏光方式では、偏光素子を３Ｄディスプレイ２０の表示パネル（例えば、液晶ディスプレイ）上に位相差フィルムとして重ね合わせ、ライン（水平走査線）毎に直交する偏光で左目用映像６Ｌと右目用映像６Ｒを表示する。この偏光方向の異なるラインの映像を偏光メガネでライン毎に分離して立体映像を得る。
【００５６】
レンチキュラー方式では、レンチキュラーレンズという特殊なレンズを３Ｄディスプレイ２０の表示パネルの画素の上に置き、見る角度によって異なる映像が表示されるようにする。レンチキュラーレンズは１個が画素数個分の寸法のかまぼこ型の凸レンズを、多数アレイ状に敷き詰めたものである。表示パネルには左目用映像６Ｌと右目用映像６Ｒとを画素ごとに一度分解し、３Ｄディスプレイ２０の画素に再び並べなおす（レンダリングする）。これを両目で見ると、右目と左目で見る角度が異なるため、３Ｄ映像に見える。この方式の特徴は、特殊なメガネをかけず裸眼で３Ｄ映像を視聴できることである。
【００５７】
次に、パララックスバリア方式では、開口部を有するバリアを３Ｄディスプレイ２０の表示パネル（例えば、液晶ディスプレイ）の前に置き、開口部を通過する視線角度が両眼で異なるので、この視差による視線分離現象を利用して３Ｄ映像を得る。この方式も、特殊なメガネをかけず裸眼で３Ｄ映像を視聴できる。
【００５８】
（立体映像統合装置１００の構成）
図１は、立体映像統合装置１００の構成を示すブロック図である。立体映像統合装置１００は、図１に示すように、主情報２および補完情報３を受信する受信部１０１と、受信された主情報２および補完情報３から立体映像情報としての統合情報４を出力する統合部１０２とを備る。
【００５９】
受信部１０１は、第１アンテナ３０に接続されたチューナ１１１と、第２アンテナ４０に接続されたチューナ１１２と、チューナ１１１に接続された圧縮データ解凍機構１１３と、チューナ１１２に接続された圧縮データ解凍機構１１４とを含む。
【００６０】
第１アンテナ３０に接続されたチューナ１１１と圧縮データ解凍機構１１３とで、主情報２としての２Ｄ映像コンテンツのＴＶ放送（左目用映像情報Ｌ）を受信するための主情報受信部を構成し、第２アンテナ４０に接続されたチューナ１１２と圧縮データ解凍機構１１４とで、補完情報３としての２Ｄ映像コンテンツを３Ｄ化させるための補完情報（右目用映像情報Ｒ）を受信するための補完情報受信部を構成する。
【００６１】
すなわち、チューナ１１１は、コンテンツとして、第１アンテナ３０を介して主情報２である左目用映像情報Ｌを受信する。また、チューナ１１２は、コンテンツとして、第２アンテナ４０を介して補完情報３である右目用映像情報Ｒを受信する。
【００６２】
なお、チューナ１１１とチューナ１１２とは別々に設けられており、チューナ１１２は、チューナ１１１が主情報２を受信するために使用しているチャンネルとは別のチャンネルから補完情報３を受信するようになっている。
【００６３】
受信部１０１で受信した情報（左目用映像情報Ｌ、右目用映像情報Ｒ）は、所定の形式により圧縮されているので、後段の圧縮データ解凍機構１１３、１１４により解凍処理（伸張処理）が施された後、統合部１０２に出力される。
【００６４】
すなわち、圧縮データ解凍機構１１３は、受信した主情報２の圧縮形式に応じて解凍処理を施した左目用映像情報Ｌを、後段の統合部１０２の同期状態確認部１２１に出力すると共に、圧縮データ解凍機構１１４は、受信した補完情報３の圧縮形式に応じて解凍処理を施した右目用映像情報Ｒを、後段の統合部１０２の同期状態確認部１２２に出力する。
【００６５】
統合部１０２は、圧縮データ解凍機構１１３に接続された同期状態確認部１２１と、圧縮データ解凍機構１１４に接続された同期状態確認部１２２と、同期状態確認部１２１に接続されたメモリ１２３、同期状態確認部１２２に接続されたメモリ１２４、メモリ１２３およびメモリ１２４に接続された配列処理部１２５を含んでいる。
【００６６】
同期状態確認部１２１、１２２は、それぞれ取得した情報に付随している同期情報を確認し、この同期情報に基づいて、配列する順番を確認し、左目用映像情報Ｌと右目用映像情報Ｒとをそれぞれメモリ１２３とメモリ１２４に一時的に記憶させる。
【００６７】
「同期情報」としては、（１）伝送される情報「ビット」を確実に検出するために信号の受信タイミングを受信側に知らせる同期信号や、（２）３Ｄディスプレイ２０上に３Ｄ映像（左目用映像６Ｌまたは右目用映像６Ｒ）を映し出す際に、走査線を表示するタイミングと、走査線を画面の下端まで表示した後、画面の上に戻って次の画面を表示し始めるタイミングを示す２つの信号などを例示することができる。また、その他、同期情報としては、２Ｄ映像コンテンツを構成する各フレームの総フレーム数や、補完情報に含まれる各補完フレームの総フレーム数などの情報が含まれていても良い。
【００６８】
また、同期情報の通信方式としては、本実施形態のように、主情報２を伝送するチャンネルとは別に補完情報３を伝送するチャンネルを設け、主情報２および補完情報３のいずれか一方に同期情報を含めて送る「同期通信方式」を採用しても良いし、主情報２または補完情報３を伝送する信号の一まとまり毎（例えば、１フレーム毎）に、信号の始まりと終わりを表す特定パターンの同期用信号を付加して情報を送る「非同期通信」方式を採用しても良い。
【００６９】
ここで、例えば、同期状態確認部１２１が、メモリ１２３に一時記録する左目用映像情報Ｌの配列順序を特定する方法としては、同期情報から左目用映像情報Ｌの総フレーム数を確認し、受信する順序で、左目用映像情報Ｌを総フレーム数の分だけメモリ１２３に格納し、左目用映像情報Ｌの先頭フレームまたは最終フレームの記録位置を特定することが考えられる。これにより、左目用映像情報Ｌの先頭フレームまたは最終フレームまでの配列順序を特定できるので、配列処理部１２５は、メモリ１２３からどの順序で左目用映像情報Ｌを読み出せば良いかが分かる。メモリ１２４に一時記録する右目用映像情報Ｒの配列も同様に特定できる。なお、１フレーム分の受信は、例えば、そのフレームの始まりと終わりを示す情報を各フレームに含めることにより実現できる。
【００７０】
配列処理部１２５は、メモリ１２３に格納されている左目用映像情報Ｌと、メモリ１２４に格納されている右目用映像情報Ｒとを、特定された先頭フレームから最終フレームまでの左目用映像情報Ｌの配列順序と、特定された先頭フレームから最終フレームまでの右目用映像情報Ｒの配列順序に従って、先頭フレームから最終フレームまでの１フレーム毎に左目用映像情報Ｌと右目用映像情報Ｒとを交互に配列して、統合情報４として３Ｄ映像を出力する。
【００７１】
すなわち、配列処理部１２５では、入力される左目用映像情報Ｌと右目用映像情報Ｒとの同期を、一時記録（メモリ１２３、メモリ１２４への格納）や、同期情報（データ放送にコマ１−Ｒ等で付随していることを想定）が付随されている場合はそれに基づいて同期を取り、左目用映像情報Ｌ（主フレーム）と右目用映像情報Ｒ（補完フレーム）とを一コマ（１フレーム）毎に交互に配列し、３Ｄ映像（立体映像）として３Ｄディスプレイ２０に出力する。
【００７２】
以上のように、統合部１０２は、主情報２に含まれる２Ｄ映像コンテンツを構成する複数の左目用映像情報Ｌと、補完情報３に含まれ、上記複数の左目用映像情報Ｌのそれぞれに対応する複数の右目用映像情報Ｒと、を１フレーム毎に交互に配列するための時間調整を行うことで、左目用映像情報Ｌと、該左目用映像情報Ｌに対応する右目用映像情報Ｒとの同期をとっても良い。
【００７３】
このとき、チューナ（主情報受信部）１１１による主情報２（左目用映像情報Ｌ）の受信タイミング、チューナ（補完情報受信部）１１２による補完情報３（右目用映像情報Ｒ）の受信タイミング、主情報２および補完情報３の伝送レート、ならびに、主情報２および補完情報３が圧縮された情報である場合は、それらの解凍（伸長）時間などを考慮した上で、各左目用映像情報Ｌと、各左目用映像情報Ｌに対応する各右目用映像情報Ｒとを１フレーム毎に交互に配列するための時間調整を行う必要がある。
【００７４】
ここで、上述したように、統合部１０２は、同期情報を用いて、左目用映像情報Ｌと、左目用映像情報Ｌに対応する右目用映像情報Ｒと、を１フレーム毎に交互に配列するための時間調整を行っても良い。これにより、同期情報を用いて各フレーム間の微妙な時間間隔を調整するなどのより細かな時間調整が可能となる。
【００７５】
統合部１０２は、上述したように、左目用映像情報Ｌおよび左目用映像情報Ｌに対応する右目用映像情報Ｒの少なくとも一方を、メモリ（一時記録部）１２３、１２４に記録することで、左目用映像情報Ｌと、左目用映像情報Ｌに対応する右目用映像情報Ｒと、を１フレーム毎に交互に配列するための時間調整を行ってもよい。
【００７６】
これにより、左目用映像情報Ｌおよび左目用映像情報Ｌに対応する右目用映像情報Ｒの少なくとも一方を、メモリ１２３、１２４に一時的に記録することで、左目用映像情報Ｌと、左目用映像情報Ｌに対応する右目用映像情報Ｒとを配列処理部１２５に入力するタイミングを調整できるので、上述した同期情報は必要ない。
【００７７】
これにより、同期情報を用いた処理が不要になるので、別途そのような処理部を立体映像統合装置１００に設ける必要がなく装置の簡略化を実現できる。また、同期情報の分だけ伝送される情報の伝送量を節約することができる。
【００７８】
（３Ｄディスプレイ２０の構成）
図３は、３Ｄディスプレイ２０の構成を示すブロック図である。３Ｄディスプレイ２０は、図３に示すように、コンテンツ取得部２１０、復調部２１１、セレクタ部２１２、制御部２１３、映像処理部（表示制御部、記録制御部）２１４、フレームメモリ（記録部）２１５、表示部２１６、同期信号送信部２１７、音声処理部２１８、音声信号送信部２１９、音声アンプ２２０、スピーカ２２１、操作部２２２、リモコン受光部２２３を備えている。
【００７９】
コンテンツ取得部２１０は、外部から供給される映像、音声などのコンテンツデータを取得する手段である。コンテンツ取得部２１０は、チューナ部２０１、２０２、衛星放送チューナ部２０３、ＩＰ放送チューナ部２０４、ＨＤＭＩレシーバ２０５、および、外部入力部２０６を含んで構成される。なお、ＨＤＭＩは、High Definition Multimedia Interfaceの略である。
【００８０】
チューナ部２０１、２０２は、アナログ放送信号および地上波デジタル放送信号のコンテンツを取得する。チューナ部２０１、２０２は、取得したコンテンツの映像信号および音声信号をそれぞれ復調部２１１に供給する。
【００８１】
衛星放送チューナ部２０３、衛星放送信号のコンテンツを取得し、取得したコンテンツの映像信号および音声信号をそれぞれ復調部２１１に供給する。
【００８２】
ＩＰ放送チューナ部２０４は、ネットワークを介して接続された装置（例えば、サーバ装置）からコンテンツを取得し、取得したコンテンツの映像および音声をセレクタ部２１２に供給する。なお、ネットワークとしては、特に限定されるものではない。例えば、電話回線、ＬＡＮなどを用いたネットワークを挙げることができる。
【００８３】
ＨＤＭＩレシーバ２０５は、ＨＤＭＩケーブルを介してコンテンツを取得し、取得したコンテンツの映像および音声をセレクタ部２１２に供給する。
【００８４】
外部入力部２０６は、３Ｄディスプレイ２０に接続された外部機器にから供給されるコンテンツを取得し、取得したコンテンツの映像および音声をセレクタ部２１２に供給する。外部機器としては、ＨＤＤ（Hard Disk Drive）、外部メモリ、ＢＤ（Blu-ray＜登録商標＞ Disc）プレイヤ、ＤＶＤ（Digital Versatile Disk）プレイヤ、ＣＤ（Compact Disk）プレイヤ、ゲーム機などが挙げられる。
【００８５】
なお、上述した立体映像統合装置１００は、上記ＨＤＭＩレシーバ２０５に接続される。これにより、３Ｄディスプレイ２０側でのリモコン等による操作を、立体映像統合装置１００に連動させることができる。この立体映像統合装置１００の連動動作については、後述する。
【００８６】
復調部２１１は、チューナ部２０１、２０２および衛星放送チューナ部２０３から供給される映像信号および音声信号を復調し、復調された映像および音声をセレクタ部２１２に供給する。
【００８７】
セレクタ部２１２は、制御部２１３からの指示に基づき、供給された映像および音声のうちから再生対象とする映像および音声を選択し、選択した映像を映像処理部２１４に供給し、選択した音声を音声処理部２１８に供給する。
【００８８】
制御部２１３は、ユーザ指示に基づいて、後述するコンテンツ取得部２１０において取得される映像および音声のうち、いずれの映像を表示し、音声を出力するかを再生対象として決定し、セレクタ部２１２にいずれの映像および音声を再生対象とするかの指示を通知する。
【００８９】
制御部２１３は、複数の異なる映像が再生対象として選択されている場合に、複数の異なる映像をそれぞれ表示部２１６に順に表示する切り替えタイミングを指示する切り替えタイミング信号を映像処理部２１４に供給する。
【００９０】
また、制御部２１３は、表示部２１６に表示する複数の異なる映像（左目用映像６Ｌ、右目用映像６Ｒ）を、３Ｄメガネ１０に区別させるため、表示部２１６に表示される映像の切り替えタイミングと同期した開閉シャッタ用の同期信号（映像判別信号）を送信するよう同期信号送信部２１７に指示する。
【００９１】
さらに、制御部２１３は、音声を音声信号送信部２１９から出力するか、スピーカ２２１から出力するかを音声処理部２１８に指示する。
【００９２】
また、制御部２１３は、３Ｄディスプレイ２０が備える各構成を統括的に制御する。制御部２１３の機能は、例えばＣＰＵ（central processing unit）が、ＲＯＭ（read only memory）等で実現された不図示の記憶装置に記憶されているプログラムを不図示のＲＡＭ（random access memory）等に読み出して実行することで実現できる。
【００９３】
映像処理部２１４は、セレクタ部２１２から供給された映像をフレーム単位でフレームメモリ２１５に記憶する。映像処理部２１４は、複数の異なる映像がセレクタ部２１２から供給された場合には、それぞれの映像をフレームメモリ２１５の異なる領域に記憶し、制御部２１３から供給される切り替えタイミング信号に基づいて、それぞれの映像をフレーム単位でフレームメモリから読み出し、表示部２１６に供給する。表示部２１６は、映像処理部２１４から供給されるフレーム単位の映像を表示する。
【００９４】
同期信号送信部２１７は、制御部１１３からの指示に基づいて、３Ｄメガネ１０の同期信号受信部１３に開閉シャッタ用の同期信号を送信する。なお、同期信号送信部２１７は、本実施形態では、無線通信によって同期信号を送信する構成を採用しているが、これに限定されるものではなく、ＬＡＮ、ＨＤＭＩなどの通信ケーブルを介して同期信号を送信しても良い。同期信号送信部２１７における無線通信は、例えば、赤外線通信、TransferJetなどによって実現することができる。
【００９５】
音声処理部２１８は、制御部２１３からの指示に基づいて、セレクタ部２１２から供給された音声を音声信号送信部２１９または音声アンプ２２０に供給する。
【００９６】
音声アンプ２２０は、音声処理部２１８から供給される音声をスピーカ２２１に供給すると共に、供給した音声を出力するようにスピーカ２２１を駆動する。これにより、スピーカ２２１は、音声アンプ２２０から供給された音声を出力する。
【００９７】
また、操作部２２２は、操作部２２２を操作することによって行なわれるユーザ指示を受け付け、受け付けたユーザ指示を制御部２１３に供給する。リモコン受光部２２３は、不図示のリモートコントローラ（リモコン）を操作することによって行なわれるユーザ指示を取得し、取得したユーザ指示を制御部２１３に供給する。なお、ユーザ指示として、コンテンツ取得部２１０において取得される映像のうち、いずれの映像を表示部２１６に表示させるかを選択する選択指示などを挙げることができる。
【００９８】
なお、本実施の形態の３Ｄディスプレイ２０は、図３に示す映像処理部２１４が記録制御部に相当し、フレームメモリ２１５が記録部に相当するので、本発明の情報記録装置の一形態としての機能を具備している。しかしながら、本発明の情報記録装置はこのような情報表示装置の機能と情報記録装置の機能とを合わせもつ形態に限られず、３Ｄディスプレイ２０と別体となっていても良い。
【００９９】
（３Ｄメガネ１０の構成）
図４は、３Ｄメガネ１０の構成を示すブロック図である。３Ｄメガネ１０は、上述したように、アクティブシャッタ方式のメガネであり、右目用シャッタ１１、左目用シャッタ１２、同期信号受信部１３、シャッタ制御部１４を含む。
【０１００】
同期信号受信部１３は、３Ｄディスプレイ２０の同期信号送信部２１７から送信された開閉シャッタ用の同期信号を受信し、受信した同期信号をシャッタ制御部１４に供給する。
【０１０１】
シャッタ制御部１４は、供給される同期信号に基づいて、右目用シャッタ１１および左目用シャッタ１２を交互に開閉する。具体的には、例えば、同期信号がハイレベル（Ｈレベル）とローレベル（Ｌレベル）との２値をとる信号であるとき、シャッタ制御部１４は、供給される同期信号がＨレベルであるときに右目用シャッタ１１を開放し、左目用シャッタ１２を閉じて、右目用シャッタ１１にのみ映像を透過させるように制御し、一方、同期信号がＬレベルであるときに右目用シャッタ１１を閉じ、左目用シャッタ１２を開放することで、左目用シャッタ１２にのみ映像を透過させるように制御する。
【０１０２】
つまり、３Ｄディスプレイ２０を視聴しているユーザは、３Ｄメガネ１０の右目用シャッタ１１が開いているときに３Ｄディスプレイ２０に表示されている右目用映像６Ｒを右目で視ることができ、左目用シャッタ１２が開いているときに３Ｄディスプレイ２０に表示されている左目用映像６Ｌを左目で視ることができる。
【０１０３】
このときのユーザは、左右の目の視差により左右の映像を統合して３Ｄ映像として認識するようになる。
【０１０４】
（立体映像表示システム１００１の基本的動作の説明）
上記構成の立体映像表示システム１００１における基本動作について、図１〜図４を参照しながら以下に説明する。
【０１０５】
まず、３Ｄディスプレイ２０側のリモコン等により、ユーザは３Ｄ放送を行っているＴＶ局にＴＶのチャンネルを合わせると、３Ｄディスプレイ２０に接続された立体映像統合装置１００のチューナ１１１が連動してユーザが合わせたＴＶ局の２Ｄ放送（２Ｄ映像コンテンツ）を主情報２として受信する。
【０１０６】
上記チューナ１１１による受信動作に連動して、同時に上記ＴＶ局が指定している補完情報３を放映しているチャンネルに合わせるべくチューナ１１２が連動し、チューナ１１１で受信した２Ｄ放送を３Ｄ化するための補完情報３を受信する。
【０１０７】
受信した信号はそれぞれの圧縮形式に応じて、圧縮データ解凍機構１１３、１１４により解凍（伸張）され、左目用映像情報Ｌと右目用映像情報Ｒとなり、統合部１０２にそれぞれ入力される。
【０１０８】
統合部１０２は、同期状態確認部１２１、１２２により、左目用映像情報Ｌと右目用映像情報Ｒとの同期状態を、主情報２および補完情報３のいずれか少なくとも一方に付随して配信された同期情報に基づき確認し、左目用映像６Ｌと右目用映像６Ｒの同期をとるために、上記同期情報から、遅らせたい側の映像情報を一時記録するためのメモリ１２３、１２４で記録する。このように同期をとった上で、配列処理部１２５は、左目用映像６Ｌと右目用映像６Ｒが交互に並ぶように配列し、３Ｄ映像として３Ｄディスプレイ２０のＨＤＭＩレシーバ２０５を介して表示部２１６に出力する。
【０１０９】
ここで、左目用映像情報Ｌと右目用映像情報Ｒとを１フレーム毎に交互に配列させるように同期を取る場合、３Ｄディスプレイ２０には、左目用映像情報Ｌから得られる左目用映像６Ｌと、右目用映像情報Ｒから得られる右目用映像６Ｒとが１フレーム毎に交互に表示されるので、ユーザは、上述した３Ｄメガネ１０を用いて、右目用映像６Ｒが表示されているときには右目のみで見て、左目用映像６Ｌが表示されているときには左目のみで見ることで、立体映像として認識できる。
【０１１０】
なお、統合部１０２では、主情報２および補完情報３のいずれか少なくとも一方に付随して配信される同期情報に基づいて、主情報２と補完情報３との同期をとって、主情報２と補完情報３とを配列させて統合情報４として統合しているが、上記の同期のとり方はこれに限定されるものではない。
【０１１１】
例えば、左目用映像情報Ｌと右目用映像情報Ｒとが統合部１０２に入力されるタイミングで、主情報２に含まれる左目用映像情報Ｌと補完情報３に含まれる右目用映像情報Ｒとの同期をとって、左目用映像情報Ｌと右目用映像情報Ｒとを１フレーム毎に交互に配列させて統合情報４として統合するようにしてもよい。
【０１１２】
この場合、主情報２および補完情報３に付随して同期情報を配信する必要がないので、同期情報を用いた処理を行うための回路等を別途設ける必要がなくなり、その結果、装置の回路構成を簡略化できる。
【０１１３】
本実施の形態のように、主情報２と同様に、補完情報３もＴＶ放送で配信される場合は、主情報２と補完情報３で同期を取るための同期用信号が、データ放送用の領域を使って記録することができるので、放送局側における主情報２と補完情報３とを送信する際に、緻密な同期を必要としなくなる。
【０１１４】
このように、本実施の形態１では、補完情報３を主情報２と同じ伝送形式（ＴＶ放送波に載せる形式）により伝送する例について説明したが、補完情報３の伝送は、主情報２と同じ伝送形式にする必要はなく、インターネットによる伝送であってもよい。以下の実施の形態では、補完情報３の伝送をインターネットによって行った例について説明する。
【０１１５】
〔実施の形態２〕
（立体映像表示システム１００２の構成）
図５は、本実施の形態に係る立体映像表示システム（情報表示装置、情報記録装置）１００２の構成を示すブロック図である。
【０１１６】
立体映像表示システム１００２は、図５に示すように、前記実施の形態１における立体映像表示システム１００１と相違するのは立体映像統合装置１００の代わりに立体映像統合装置３００を備えている点である。他の構成要素については、立体映像表示システム１００２と立体映像表示システム１００１とでは相違しないので、各構成要素について詳細な説明は省略する。
【０１１７】
（立体映像統合装置３００の構成）
図６は、立体映像統合装置３００の構成を示すブロック図である。立体映像統合装置３００は、図６に示すように、主情報２および補完情報３を受信する受信部（主情報受信部、補完情報受信部）３０１と、受信された主情報２および補完情報３から立体映像情報としての統合情報４を出力する統合部３０２とを備えている。
【０１１８】
受信部３０１は、第１アンテナ３０３に接続されたチューナ（主情報受信部）３１１と、インターネット３０４を介してウェブサーバー４００に接続されたインターネット端末装置（補完情報受信部）３１２と、圧縮データ解凍機構３１３と、圧縮データ解凍機構３１４と、メモリ（一時記録部）３１５とを含んでいる。
【０１１９】
第１アンテナ３０３に接続されたチューナ３１１と圧縮データ解凍機構３１３とで、主情報２としての２Ｄ映像コンテンツのＴＶ放送（左目用映像情報Ｌ）を受信するための主情報受信部を構成している。この点については、前記実施の形態１における立体映像統合装置１００と同じである。異なるのは、補完情報３を取得する補完情報受信部の構成である。
【０１２０】
すなわち、補完情報受信部は、インターネット３０４を介してウェブサーバー４００に接続されたインターネット端末装置３１２と圧縮データ解凍機構３１４とメモリ３１５とで構成されている。
【０１２１】
上記の構成の受信部３０１においても、前記実施の形態１と同様に、チューナ３１１は、コンテンツとして、第１アンテナ３０３を介して主情報２である左目用映像情報Ｌを受信する。
【０１２２】
一方、補完情報受信部では、補完情報３である右目用映像情報Ｒを、前記実施の形態１とは異なり、インターネット経由でインターネット端末装置３１２により受信する。
【０１２３】
受信部３０１で受信した情報（左目用映像情報Ｌ、右目用映像情報Ｒ）は、所定の形式により圧縮されているので、後段の圧縮データ解凍機構３１３、３１４により解凍処理（伸張処理）が施された後、主情報２側の圧縮データ解凍機構３１３からはそのまま統合部３０２に出力され、補完情報３側の圧縮データ解凍機構３１４からは一旦メモリ３１５に格納された後、所定のタイミングで統合部３０２に出力される。
【０１２４】
すなわち、圧縮データ解凍機構３１３は、取得した主情報２の圧縮形式に応じて解凍処理を施した左目用映像情報Ｌを、後段の統合部３０２の同期状態確認部３２１に出力する。
【０１２５】
一方、圧縮データ解凍機構３１４は、取得した補完情報３の圧縮形式に応じて解凍処理を施した右目用映像情報Ｒを、一旦メモリ３１５に格納して、所定のタイミングで後段の統合部３０２の同期状態確認部３２２に出力する。
【０１２６】
このように、補完情報３を一旦メモリ３１５に格納するのは、以下のような事態を避けるためである。
【０１２７】
すなわち、補完情報３をインターネットで配信する場合は、補完情報受信部が放送前にインターネット入手した補完情報３をメモリ３１５に記録しておくことで、インターネット回線が混雑し、放送に間に合わないような事態を避けることができる。
【０１２８】
統合部３０２は、圧縮データ解凍機構３１３に接続された同期状態確認部３２１と、メモリ３１５を介して圧縮データ解凍機構３１４に接続された同期状態確認部３２２と、同期状態確認部３２１に接続されたメモリ３２３、同期状態確認部３２２に接続されたメモリ３２４、メモリ３２３およびメモリ３２４に接続された配列処理部３２５を含んでいる。
【０１２９】
なお、統合部３０２は、前記実施の形態１における立体映像統合装置１００の統合部１０２と同じ構成であるので、その詳細については省略する。
【０１３０】
配列処理部３２５では、入力される左目用映像情報Ｌと右目用映像情報Ｒとの同期を、一時記録（メモリ３２３、メモリ３２４への格納）や、同期用信号（データ放送にコマ１−Ｒ等で付随していることを想定）が付随されている場合はそれに基づいて取り、左目用映像情報Ｌ（主フレーム）と右目用映像情報Ｒ（補完フレーム）とを一コマ（１フレーム）毎に交互に配列して統合情報４を生成し、３Ｄ映像（立体映像情報）として３Ｄディスプレイ２０に出力する。
【０１３１】
上記構成の立体映像表示システム１００２のように、補完情報３を取得するための手段を２Ｄ放送波を利用するのではなく、インターネット３０４を介してウェブサーバー４００から配信されるようにしても、前記実施の形態１と同様の効果を奏する。
【０１３２】
すなわち、上記構成の立体映像統合装置３００によっても、現行の放送形式を変更することなく、または、画質を落とすことなく３Ｄ映像の視聴を可能にする。
【０１３３】
また、補完情報３の取得をインターネット経由ではなく、ケーブルテレビによるテレビ信号を送信するケーブル経由であってもよい。この場合、立体映像統合装置３００のインターネット端末装置３１２がケーブルテレビ用のセットボックスに置き換わるだけである。
【０１３４】
以上のように、実施の形態１および２の立体映像統合装置１００、３００によれば、何れも主情報および補完情報を受信する受信部１０１、３０１と、統合部１０２、３０２が設けられているので、主情報２（主放送）は通常の２Ｄ放送形式のまま放送した上で、別チャンネルまたはインターネットにより補完情報３を送信することにより、現状の２Ｄ画質を保持した状態での３Ｄ映像を視聴できる。そのため、ＴＶ局のリスクが低減されることになり、ひいては視聴者が３Ｄ映像を容易に入手することができるというメリットも有する。
【０１３５】
また、実施の形態１、２で説明した立体映像統合装置１００、３００は、何れもアンテナに直接接続された受信部１０１、３０１が統合部１０２、３０２とを設けた例について説明したが、受信部１０１、３０１を３Ｄディスプレイ２０に内蔵させて、統合部１０２、３０２を３Ｄディスプレイ２０の外付けとする構成としてもよい。
【０１３６】
以下の実施の形態３では、前記実施の形態１の立体映像統合装置１００の受信部１０１を３Ｄディスプレイ２０に設けた例について説明する。
【０１３７】
〔実施の形態３〕
（立体映像表示システム１００３の構成）
図７は、本実施の形態に係る立体映像表示システム（情報表示装置、情報記録装置）１００３の構成を示すブロック図である。立体映像表示システム１００３は、図７に示すように、前記実施の形態１の図２に示す立体映像表示システム１００１とほぼ同じ構成であり、立体映像統合装置１００における受信部１０１が３Ｄディスプレイ２０に内蔵されている点で異なる。
【０１３８】
受信部（主情報受信部、補完情報受信部）１０１は、第１アンテナ３０に接続された第１受信部（主情報受信部）１０１ａと、第２アンテナ４０に接続された第２受信部（補完情報受信部）１０１ｂとを含んでいる。
【０１３９】
第１受信部１０１ａは、図示しないが、チューナ１１１、圧縮データ解凍機構１１３で構成された主情報入力部を構成している。
【０１４０】
第２受信部１０１ｂは、図示しないが、チューナ１１２、圧縮データ解凍機構１１４で構成された補完情報入力部を構成している。
【０１４１】
なお、上記のように、受信部１０１を３Ｄディスプレイ２０に内蔵する場合、チューナ１１１、１１２のみでよく、圧縮データ解凍機構１１３、１１４については、統合部１０２側に設けられてもよい。
【０１４２】
また、上記チューナ１１１、１１２は、３Ｄディスプレイ２０に元々内蔵されたチューナを流用してもよい。
【０１４３】
上記構成の立体映像表示システム１００３においても、他の実施の形態に記載の立体映像表示システム１００１などと同じように、受信部１０１において取得した主情報２に含まれる左目用映像情報Ｌ、補完情報３に含まれる右目用映像情報Ｒを統合部１０２によって統合して統合情報４を生成し、３Ｄ映像として３Ｄディスプレイ２０に出力するようになっている。
【０１４４】
上記構成の立体映像表示システム１００３によっても、前記実施の形態１、２と同様の効果を奏する。すなわち、現行の放送形式を変更することなく、または、画質を落とすことなく３Ｄ映像を視聴することが可能となる。
【０１４５】
以上の実施の形態１〜３では、３Ｄ表示方式として、フレームシーケンシャル方式の３Ｄディスプレイ２０と、アクティブシャッタ方式の３Ｄメガネ１０を用いた例について説明したが、これに限定されるものではなく、シャッタを３Ｄメガネ１０側でなく、３Ｄディスプレイ２０側に設けてもよい。
【０１４６】
以下の実施の形態４では、３Ｄディスプレイ側に左右の映像を切り替えるシャッタを備えた３Ｄ表示方式の例について説明する。
【０１４７】
〔実施の形態４〕
（立体映像表示システム１００４の構成）
図８は、本実施の形態に係る立体映像表示システム１００４の構成を示すブロック図である。立体映像表示システム（情報表示装置、情報記録装置）１００４は、図８に示すように、立体映像統合装置１００または立体映像統合装置３００、３Ｄディスプレイ（情報表示装置）１０１０、偏光メガネ７を備える。立体映像統合装置１００、３００は、それぞれ前記実施の形態１、２で説明した立体映像統合装置（情報統合装置）である。
【０１４８】
３Ｄディスプレイ１０１０は、表示部１０１１と液晶シャッタ１０１２とで構成され、表示部１０１１と液晶シャッタ１０１２とは配線１０１１Ａで接続され、表示部１０１１と偏光メガネ７とは配線１０１１Ｂで接続されている。
【０１４９】
表示部１０１１は、立体映像統合装置１００、３００により生成された統合情報４としての立体映像情報が入力され、３Ｄ映像の表示を行うようになっている。なお、表示部１０１１は、ＴＶやプロジェクター等で構成される。
【０１５０】
液晶シャッタ１０１２は、液晶等で構成され２つの透過偏向光を切り替えることができるようになっている。
【０１５１】
偏光メガネ７は、液晶シャッタ１０１２を介した所定のフレーム順からなる左目用映像情報Ｌ、右目用映像情報Ｒを見るために左右それぞれに液晶シャッタ（または、左右それぞれに異なる偏向板が構成された）ものである。
【０１５２】
従って、立体映像表示システム１００４では、人間の目の視差を利用し、偏光メガネ７によって左右に左目用映像６Ｌ、右目用映像６Ｒの映像情報を投影し、３Ｄ映像として視覚させるようになっている。
【０１５３】
また、図８に示すように、液晶等で構成される２つの透過偏向光を切り替えることができる液晶シャッタ１０１２は、透過する右目用映像６Ｒを例えば縦偏向、左目用映像６Ｌを横偏向とするように、液晶シャッタ１０１２を制御することでフィールド毎の光の偏向角を変えることができる。
【０１５４】
この場合、偏光メガネ７は、左右異なる偏向板（縦偏向と横偏向）を貼り付けたもので良く、配線１０１１Ａを介して表示部１０１１が、液晶シャッタ１０１２を制御するタイミングに対応するフィールド同期信号を、表示部１０１１から偏光メガネ７に供給する配線１０１１Ｂが不要となる。
【０１５５】
一方、液晶シャッタ１０１２を用いない場合は、偏光メガネ７に液晶シャッタを設ける必要があり、フィールド同期信号用の配線１０１１Ｂが必要となる。
【０１５６】
本実施の形態に係る立体映像表示システム１００４のように、３Ｄ表示方式として他の方式を利用した３Ｄディスプレイ１０１０を用いても、前記実施の形態１〜３と同様の効果を奏することができる。
【０１５７】
（まとめ）
以上、本発明の情報統合装置は、実施の形態１〜４に記載した立体映像統合装置に限定されるものではなく、以下の構成を少なくとも有するものであれば、どのような構成であってもよい。
【０１５８】
（１）２Ｄ映像コンテンツのＴＶ放送（左目用映像情報Ｌ）を取得できる主情報入力部として、アンテナに接続できる端子があるチューナが設けられていること。
【０１５９】
（２）上記２Ｄ映像コンテンツを３Ｄ化するための補完情報（右目用映像情報Ｒ）を取得できる補完情報用入力部として、上記の別チャンネルからの情報を入手するための別チューナが設けられていること。
【０１６０】
（３）入力される左目用映像情報Ｌと右目用映像情報Ｒの同期を一時記録や、同期用信号（データ放送部にコマ１−Ｒ等で付随していることを想定）が付随されている場合はそれに基づいて、一コマ（１フレーム）毎に主フレームと補完フレームを配列し、出力する統合部が設けられていること。
【０１６１】
さらに、前記実施の形態１〜４に記載の主情報２は、２Ｄ映像コンテンツ（例えば左目用映像情報Ｌ）であればよく、ＴＶ放送波による配信に限定されず、ケーブルテレビのケーブルによる配信やインターネット等の外部ネットワークによる配信であってもよい。
【０１６２】
また、補完情報３は、２Ｄ映像コンテンツ（例えば右目用映像情報Ｒ）や主情報２を３Ｄ化するために必要な情報であればよく、ＴＶ放送波による配信に限定されず、ケーブルテレビのケーブルによる配信やインターネット等の外部ネットワークによる配信であってもよい。
【０１６３】
また、主情報２と補完情報３との同期を取るための同期信号の付随させる方法として、地上デジタル放送におけるデータ放送の領域において、１フレーム毎に『コマ１左』といったデータをつける方法や、画面の隅に実際に表示される形式（時報のように）で記録する方法であってもよい。
【０１６４】
なお、前記実施の形態１〜４において、３Ｄメガネ１０、偏光メガネ７を用いなければ、３Ｄ映像の放送を視聴することができない３Ｄディスプレイ２０、３Ｄディスプレイ１０１０の例について説明したが、これに限定されるものではなく、３Ｄメガネ１０、偏光メガネ７を用いない３Ｄディスプレイを用いても、本願発明を適用できる。
【０１６５】
この場合には、例えば、統合部１０２に、主情報２と補完情報３を基に、多視点映像情報を自動的に作製する映像製造部を、さらに設けるようにすればよい。
【０１６６】
最後に、立体映像統合装置１００および３００の各ブロック、特に、受信部１０１および３０１、ならびに、統合部１０２および３０２は、集積回路（ＩＣチップ）上に形成された論理回路によってハードウェア的に実現してもよいし、ＣＰＵ（Central Processing Unit）を用いてソフトウェア的に実現してもよい。
【０１６７】
後者の場合、立体映像統合装置１００および３００は、各機能を実現するプログラムの命令を実行するＣＰＵ（Central Processor Unit）、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。
【０１６８】
そして、本発明の目的は、上述した機能を実現するソフトウェアである立体映像統合装置１００および３００の制御プログラム（情報統合プログラムなど）のプログラムコード（実行形式プログラム、中間コードプログラム、ソースプログラム）をコンピュータで読み取り可能に記録した記録媒体を、上記立体映像統合装置１００および３００に供給し、そのコンピュータ（またはＣＰＵやＭＰＵ＜Micro Processor Unit＞）が記録媒体に記録されているプログラムコードを読み出し実行することによっても、達成可能である。
【０１６９】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１７０】
また、立体映像統合装置１００および３００を通信ネットワークと接続可能に構成し、上記プログラムコードを、通信ネットワークを介して供給してもよい。
【０１７１】
この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０１７２】
また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、TransferJet、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１７３】
なお、本発明は、コンピュータ読取可能媒体内に符号化されたコンピュータプログラムであって、前記情報統合装置が、前記読取可能媒体を備え、コンピュータによって実行されるときに、前記情報統合装置における前記各手段の機能を実現するコンピュータプログラムとして実現することもできる。
【０１７４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７５】
本発明は、現行の２Ｄ放送や、現行のインターネット配信される２Ｄ映像コンテンツを受信装置、および該受信装置を備える情報表示装置、情報記録装置などに適用することができる。
【符号の説明】
【０１７６】
２  主情報
３  補完情報
４  統合情報（立体映像情報）
６Ｌ  左目用映像（主フレーム）
６Ｒ  右目用映像（補完フレーム）
２０  ３Ｄディスプレイ（情報表示装置、情報記録装置）
１００  立体映像統合装置（情報統合装置）
１０１  受信部（主情報受信部、補完情報受信部）
１０１ａ  第１受信部（主情報受信部）
１０１ｂ  第２受信部（補完情報受信部）
１０２  統合部
１１１  チューナ（主情報受信部）
１１２  チューナ（補完情報受信部）
１２３  メモリ（一時記録部）
１２４  メモリ（一時記録部）
２１４  映像処理部（表示制御部、記録制御部）
２１５  フレームメモリ（記録部）
３００  立体映像統合装置（情報統合装置）
３０１  受信部（主情報受信部、補完情報受信部）
３０２  統合部
３１１  チューナ（主情報受信部）
３１２  インターネット端末装置（補完情報受信部）
３１５  メモリ（一時記録部）
３２３  メモリ（一時記録部）
３２４  メモリ（一時記録部）
１００１  立体映像表示システム（情報表示装置、情報記録装置）
１００２  立体映像表示システム（情報表示装置、情報記録装置）
１００３  立体映像表示システム（情報表示装置、情報記録装置）
１００４  立体映像表示システム（情報表示装置、情報記録装置）
１０１０  ３Ｄディスプレイ（情報表示装置）
Ｌ  左目用映像情報（主フレーム）
６Ｌ  左目用映像（主フレーム）
Ｒ  右目用映像情報（補完フレーム）
６Ｒ  右目用映像（補完フレーム）
【図１】
0005412404.tif 000002
【図２】
0005412404.tif 000003
【図３】
0005412404.tif 000004
【図４】
0005412404.tif 000005
【図５】
0005412404.tif 000006
【図６】
0005412404.tif 000007
【図７】
0005412404.tif 000008
【図８】
0005412404.tif 000009